(57)【特許請求の範囲】
【請求項１】
天井面に取付けられた引掛シーリングボディに着脱自在に取付けられ、内部に点灯手段が設けられて外周部にアダプタ側嵌合部が設けられた取付アダプタと；
前記アダプタ側嵌合部に嵌合される本体側嵌合部と、この本体側嵌合部と前記引掛シーリングボディに取り付けた状態の前記取付アダプタの前記アダプタ側嵌合部とを嵌合させたときに前記取付アダプタの周囲に位置して前記点灯手段により点灯制御されるランプとが設けられた照明器具本体と；
を具備し、前記ランプと前記取付アダプタとは、前記天井面から最も離間した位置に配置されている前記ランプの光照射部分の一部と前記取付アダプタの下面とが前記天井面に対して略平行な同一の仮想面内に位置付けられて配置されている、照明器具。
【請求項２】
前記取付アダプタに、リモコン信号受信部と常夜灯用ソケットとの少なくとも一方が設けられている請求項１記載の照明器具。
【発明の詳細な説明】
【０００１】
【発明の属する技術分野】
本発明は、天井面に取付けられた引掛シーリングボディを介して電力供給を受ける照明器具に関する。
【０００２】
【従来の技術】
従来、天井面に取付けられた引掛シーリングボディを介して電力供給を受ける照明器具としては、特開２０００−３０５２３公報、特開２０００−２６０２２１公報等に開示されたものが知られている。
【０００３】
特開２０００−３０５２３公報に開示された照明器具は、天井面に取付けられた引掛シーリングボディに取付アダプタが取付けられ、この取付アダプタに照明器具本体が取付けられている。照明器具本体には、ランプ、ランプを保持するホルダ、ランプを点灯制御する点灯手段等が設けられ、照明器具本体を取付アダプタに取付けたときにランプの上側となる位置に点灯手段が配置されている。
【０００４】
特開２０００−２６０２２１公報に開示された照明器具は、天井面に取付けられた引掛シーリングボディに係止段が設けられ、この係止段に照明器具本体の係止部が係止されている。照明器具本体には、ランプ、ランプを保持するホルダ、ランプを点灯制御する点灯手段としての基板等が設けられ、照明器具本体を引掛シーリングボディに係止したときにランプの上側となる位置に基板が配置されている。
【０００５】
【発明が解決しようとする課題】
上述したように、天井面に取付けられた引掛シーリングボディを介して電力供給を受ける従来の照明器具は、照明器具本体にランプと点灯手段とが取付けられており、かつ、照明器具本体を取付アダプタ又は引掛シーリングボディに取付けたとき、ランプの上側に点灯手段が配置されている。
【０００６】
このため、点灯手段はランプから放射された熱の影響を受けやすく、ランプから放射された熱の影響による劣化、故障などが発生しやすい。
【０００７】
また、照明器具本体において点灯手段とランプとが上下に重なる位置に配置されているため、照明器具本体の薄型化を図ることが困難である。
【０００８】
また、照明器具のなかで最も故障しやすい部分は点灯手段であり、この点灯手段が故障したときは点灯手段全体を新しいものに交換している。この交換作業に際しては、点灯手段を照明器具本体のなかから取外し、新しい点灯手段を照明器具本体に取付けるという作業が必要であり、煩雑である。
【０００９】
また、照明器具本体の中に点灯手段が含まれているため、照明器具本体がコストアップしている。
【００１０】
本発明の目的は、天井面に取付けられた引掛シーリングボディを介して電力供給される照明器具において、点灯手段がランプから放射された熱の影響を受けにくくし、ランプから放射された熱の影響による点灯手段の劣化、故障を防止することである。
【００１１】
【課題を解決するための手段】
請求項１記載の発明の照明器具は、天井面に取付けられた引掛シーリングボディに着脱自在に取付けられ、内部に点灯手段が設けられて外周部にアダプタ側嵌合部が設けられた取付アダプタと；前記アダプタ側嵌合部に嵌合される本体側嵌合部と、この本体側嵌合部と前記引掛シーリングボディに取り付けた状態の前記取付アダプタの前記アダプタ側嵌合部とを嵌合させたときに前記取付アダプタの周囲に位置して前記点灯手段により点灯制御されるランプとが設けられた照明器具本体と；を具備し、前記ランプと前記取付アダプタとは、前記天井面から最も離間した位置に配置されている前記ランプの光照射部分の一部と前記取付アダプタの下面とが前記天井面に対して略平行な同一の仮想面内に位置付けられて配置されている。
【００１２】
本発明において、「ランプ」には、環状のランプ及び球状のランプが含まれる。また、「取付アダプタの周囲に位置するランプ」とは、取付アダプタの周囲を囲むように配置された環状のランプ、及び、取付アダプタの周囲を囲むように環状に配置された複数個の球状のランプを意味する。
【００１３】
したがって、引掛シーリングボディに取付アダプタを取付け、取付アダプタのアダプタ側嵌合部と照明器具本体の本体側嵌合部とを嵌合させて照明器具本体を取付アダプタに取付けたとき、ランプが点灯手段の周囲に位置することになり、点灯手段がランプから放射された熱の影響を受けにくくなり、ランプから放射された熱の影響による点灯手段の劣化、故障が防止される。
【００１４】
さらに、点灯手段とランプとが上下に重ならない位置に配置されるので、照明器具本体、及び、照明器具の薄型化を図れる。
【００１５】
さらに、照明器具のなかで最も故障しやすい部分は点灯手段であり、この点灯手段が故障した場合には取付アダプタを全体として交換すればよく、交換作業を各ユーザーが簡単に行える。
【００１６】
請求項２記載の発明は、請求項１記載の照明器具において、前記取付アダプタに、リモコン信号受信部と常夜灯用ソケットとの少なくとも一方が設けられている。
【００１７】
したがって、取付アダプタにリモコン信号受信部や常夜灯用ソケット等を設けることにより、これらのリモコン信号受信部や常夜灯用ソケット等を照明器具本体に設ける場合に比べて、配線が少なくなり、照明器具の構造の簡単化を図ることができる。
【００２５】
【発明の実施の形態】
本発明の第１の実施の形態を図１に基づいて説明する。図１は照明器具を示す縦断正面図である。
【００２６】
本実施の形態の照明器具は、天井面１に取付けられた引掛シーリングボディ２に着脱自在に取付けられた取付アダプタ３、取付アダプタ３に着脱自在に取付けられた照明器具本体４、照明器具本体４の下面側を覆う下面カバー５等により構成され、壁スイッチ（図示せず）の操作により点灯制御されものである。
【００２７】
引掛シーリングボディ２は、外形形状が円柱状に形成されて天井面１に位置固定に取付けられた部材であり、その下面には一対の電極刃受け穴（図示せず）が形成されている。これらの電極刃受け穴の内部には通電用の電極端子（図示せず）が設けられ、その電極端子には、天井裏に配線されている電源線（図示せず）が接続されている。
【００２８】
取付アダプタ３は、外形形状が略円柱状に形成された部材であり、その上面部には一対の電極刃６と１つのロック爪（図示せず）とが設けられている。電極刃６は、取付アダプタ３を引掛シーリングボディ２に取付けるとき、電極刃受け穴に挿入され、挿入後に取付アダプタ３を水平面内で回動させることにより電極端子に接続される。また、この電極刃６は、電極端子に接続されたとき、取付アダプタ３を引掛シーリングボディ２から抜け落ちないように保持する部材としても機能する。ロック爪は、電極刃６が電極端子に接続されているとき、電極刃受け穴の縁部に当接して取付アダプタ３の回り止めを行う。なお、取付アダプタ３にはロック爪を取付アダプタ３内へ入り込ませるように操作する解除釦（図示せず）が設けられており、この解除釦を操作してロック爪が電極刃受け穴の縁部に当接することを解除することにより、ロック爪による取付アダプタ３の回り止めが解除され、取付アダプタ３を引掛シーリングボディ２から取外す位置へ回動させることができる。
【００２９】
取付アダプタ３の内部には、後述する蛍光灯を点灯制御するための点灯回路や点灯部品等から構成される点灯手段７が収納されている。
【００３０】
取付アダプタ３の外周部には、照明器具本体４を着脱自在に取付けるためのアダプタ側嵌合部である嵌合段８が形成されている。
【００３１】
照明器具本体４は、天板９、天板９の下面側に配置されたランプである管状の蛍光灯１０、蛍光灯１０用のソケット１１、蛍光灯１０を保持するホルダ１２、嵌合段８に係脱自在に嵌合される本体側嵌合部である嵌合突起１３等により構成されている。ソケット１１には、取付アダプタ３内の点灯手段７から引き出されたコネクタ１４が接続されている。
【００３２】
さらに、照明器具本体４の中央部には引掛シーリングボディ２に取付けられた取付アダプタ３が配置される嵌合穴部１５が形成されており、この嵌合穴部１５の周囲に嵌合突起１３が配置されている。嵌合突起１３は、スプリングなどの付勢体（図示せず）により嵌合段８に嵌合する向きにスライド自在に付勢されており、この嵌合突起１３が嵌合段８に嵌合されることにより、照明器具本体４が取付アダプタ３に取付けられている。また、嵌合突起１３には、この嵌合突起１３を嵌合段８との嵌合を解除する位置へスライド操作することにより照明器具本体４を取付アダプタ３から取外す操作部１３ａが設けられている。
【００３３】
天板９の外周側縁部には、下面カバー５を保持する保持部９ａが形成されている。
【００３４】
このような構成において、本実施の形態の照明器具は、電極刃６を電極刃受け穴に挿入して電極端子に接続することにより取付アダプタ３が引掛シーリングボディ２に取付けられ、ついで、嵌合突起１３を嵌合段８に嵌合させることにより照明器具本体４が取付アダプタ３に取付けられ、最後に、下面カバー５が取付けられる。
【００３５】
引掛シーリングボディ２に取付アダプタ３を取付け、取付アダプタ３に照明器具本体４を取付けた状態において、取付アダプタ３は照明器具本体４に形成された嵌合穴部１５内に位置し、照明器具本体４に設けられている蛍光灯１０が取付アダプタ３内に収納されている点灯手段７の周囲に位置することになる。
【００３６】
このため、点灯手段７は、蛍光灯１０の点灯時に蛍光灯１０から放射された熱の影響を受けにくくなり、蛍光灯１０から放射された熱の影響による点灯手段７の劣化や故障を防止することができる。
【００３７】
さらに、点灯手段体７と蛍光灯１０とが上下に重ならない位置に配置されるので、照明器具本体４の薄型化、及び、照明器具全体の薄型化を図ることができる。
【００３８】
さらに、照明器具のなかで最も故障しやすい部分は点灯手段７であり、点灯手段７が故障した場合にはこの点灯手段７を交換する必要がある。このような交換に際して、本実施の形態の照明装置では、取付アダプタ３を全体として交換すればよく、交換作業を各ユーザーが簡単に行える。
【００３９】
さらに、点灯手段７を取付アダプタ３内に設けたことにより、照明器具本体４の構造が簡単になり、照明器具本体４のコストダウンを図ることができる。
【００４０】
つぎに、本発明の第２の実施の形態を図２に基づいて説明する。なお、先行して説明した他の実施の形態と同じ部分は同じ符号で示し、説明も省略する（以下の参考形態でも同じ）。図２は照明器具を示す縦断正面図である。
【００４１】
本実施の形態の基本的構造は第１の実施の形態と同じであり、異なる点は、取付アダプタ３に、リモコン信号受信部１６と常夜灯１７ａが取付けられる常夜灯用ソケット１７とが設けられている点である。これらのリモコン信号受信部１６と常夜灯用ソケット１７とは点灯手段７に接続されている。
【００４２】
このような構成において、この照明器具の点灯制御は、壁スイッチの操作の他にリモコン操作でも行うことができる。
【００４３】
また、リモコン信号受信部１６と常夜灯用ソケット１７とを取付アダプタ３に設け、これらのリモコン信号受信部１６と常夜灯用ソケット１７とを点灯手段７に接続したことにより、これらのリモコン信号受信部１６や常夜灯用ソケット１７等を照明器具本体４に設けた場合に比べて、配線が少なくなり、照明器具の構造の簡単化を図ることができる。
【００４４】
なお、上述した第１及び第２の実施の形態においては、取付アダプタ３にアダプタ側嵌合部として嵌合段８を形成し、照明器具本体４に本体側嵌合部としてスライド自在な嵌合突起１３を設けた場合を例に挙げて説明したが、これとは逆に、取付アダプタ３にアダプタ側嵌合部としてスライド自在な嵌合突起を設け、照明器具本体４に本体側嵌合部として嵌合段を形成してもよい。
【００４５】
つぎに、本発明の第１の参考形態を図３に基づいて説明する。図３は照明器具を示す縦断正面図である。
【００４６】
本参考形態の照明器具は、天井面１に取付けられた引掛シーリングボディ１８に着脱自在に取付けられた照明器具本体１９、引掛シーリングボディ１８に着脱自在に取付けられた点灯手段ユニット２０、照明器具本体１９及び点灯手段ユニット２０の下面側を覆う下面カバー５等により構成されている。
【００４７】
引掛シーリングボディ２は、外形形状が円柱状に形成されて天井面１に位置固定に取付けられた部材であり、その下面には一対の電極刃受け穴（図示せず）が形成されている。これらの電極刃受け穴の内部には通電用の電極端子（図示せず）が設けられ、その電極端子には、天井裏に配線されている電源線（図示せず）が接続されている。さらに、引掛シーリングボディ２の外周部には、ボディ側嵌合部である嵌合段２１が形成されている。
【００４８】
照明器具本体１９は、天板９、天板９の下面側に配置されたランプである環状の蛍光灯１０、蛍光灯１０用のソケット１１、蛍光灯１０を保持するホルダ１２、嵌合段２１に係脱自在に嵌合される本体側嵌合部である嵌合突起２２等により構成されている。
【００４９】
さらに、照明器具本体１９の中央部には、引掛シーリングボディ１８及び引掛シーリングボディ１８に取付けられた点灯手段ユニット２０が配置される嵌合穴部２３が形成されており、この嵌合穴部２３の周囲に嵌合突起２２が配置されている。嵌合突起２２は、スプリングなどの付勢体（図示せず）により嵌合段２１に嵌合する向きにスライド自在に付勢されており、この嵌合突起２２が嵌合段２１に嵌合されることにより、照明器具本体１９が引掛シーリングボディ１８に付けられている。また、嵌合突起２２には、この嵌合突起２２を嵌合段２１との嵌合を解除する位置へスライド操作することにより照明器具本体１９を引掛シーリングボディ１８から取外す操作部２２ａが設けられている。
【００５０】
点灯手段ユニット２０は、外形形状が円柱状に形成された部材であり、その上面部には上面部には一対の電極刃６が設けられている。電極刃６は、点灯手段ユニット２０を引掛シーリングボディ１８に取付けるとき、電極刃受け穴に挿入され、挿入後に点灯手段ユニット２０を水平面内で回動させることにより電極端子に接続される。また、この電極刃６は、電極端子に接続されたとき、点灯手段ユニット２０を引掛シーリングボディ１８から抜け落ちないように保持する部材としても機能する。
【００５１】
点灯手段ユニット２０の内部には、蛍光灯１０を点灯制御するための点灯回路や点灯部品から構成される点灯手段７が収納されている。点灯手段７からはコネクタ１４が引き出され、このコネクタ１４は照明器具本体１９に設けられたソケット１１に接続されている。
【００５２】
このような構成において、本参考形態の照明器具は、嵌合突起２２を嵌合段２１に嵌合させることにより照明器具本体１９が引掛シーリングボディ１８に取付けられ、ついで、電極刃６を電極刃受け穴に挿入して電極端子に接続することにより点灯手段ユニット２０が引掛シーリングボディ１８に取付けられ、最後に、下面カバー５が取付けられる。
【００５３】
引掛シーリングボディ１８に照明器具本体１９を取付け、さらに、引掛シーリングボディ１８に点灯手段ユニット２０を取付けた状態において、点灯手段ユニット２０は照明器具本体１９に形成された嵌合穴部２３内に位置し、点灯手段ユニット２０内に収納された点灯手段７は照明器具本体１９に設けられている蛍光灯１０の略中央となる位置に位置することになる。
【００５４】
このため、点灯手段７は、蛍光灯１０の点灯時に蛍光灯１０から放射された熱の影響を受けにくくなり、蛍光灯１０から放射された熱の影響による点灯手段７の劣化や故障を防止することができる。
【００５５】
さらに、点灯手段体７と蛍光灯１０とが上下に重ならない位置に配置されるので、照明器具本体１９の薄型化、及び、照明器具全体の薄型化を図ることができる。
【００５６】
さらに、照明器具のなかで最も故障しやすい部分は点灯手段７であり、点灯手段７が故障した場合にはこの点灯手段７を交換する必要がある。このような交換に際して、本参考形態の照明装置では、点灯手段ユニット２０を全体として交換すればよく、交換作業を各ユーザーが簡単に行える。
【００５７】
さらに、点灯手段７を点灯手段ユニット２０内に設けたことにより、照明器具本体１９の構造が簡単になり、照明器具本体１９のコストダウンを図ることができる。
【００５８】
つぎに、本発明の第２の参考形態を図４に基づいて説明する。図４は照明器具を示す縦断正面図である。
【００５９】
本参考形態の基本的構造は第１の参考形態と同じあり、異なる点は、点灯手段ユニット２０に、リモコン信号受信部１６と常夜灯１７ａが取付けられる常夜灯用ソケット１７とが設けられている点である。これらのリモコン信号受信部１６と常夜灯用ソケット１７とは点灯手段７に接続されている。
【００６０】
このような構成において、この照明器具の点灯制御は、壁スイッチの操作の他にリモコン操作でも行うことができる。
【００６１】
また、リモコン信号受信部１６と常夜灯用ソケット１７とを点灯手段ユニット２０に設け、これらのリモコン信号受信部１６と常夜灯用ソケット１７とを点灯手段７に接続したことにより、これらのリモコン信号受信部１６や常夜灯用ソケット１７等を照明器具本体１９に設けた場合に比べて、配線が少なくなり、照明器具の構造の簡単化を図ることができる。
【００６２】
なお、上述した第１及び第２の参考形態においては、引掛シーリングボディ１８にボディ側嵌合部として嵌合段２１を形成し、照明器具本体１９に本体側嵌合部としてスライド自在な嵌合突起２２を設けた場合を例に挙げて説明したが、これとは逆に、引掛シーリングボディ１８にボディ側嵌合部としてスライド自在な嵌合突起を設け、照明器具本体１８に本体側嵌合部として嵌合段を形成してもよい。
【００６３】
また、上述した第１および第２の実施の形態では、照明器具の点灯制御を壁スイッチの操作、又は、リモコン操作により行う場合を例に挙げて説明したが、プルスイッチによる点灯制御の機能を付加してもよい。その場合には、プルスイッチとプルスイッチの操作により切り替えられるスイッチ部とを照明器具本体に設け、点灯手段７から引き出されたコネクタをこのスイッチ部に接続する。
【００６４】
【発明の効果】
請求項１記載の発明の照明器具によれば、引掛シーリングボディに取付アダプタを取付け、取付アダプタのアダプタ側嵌合部に照明器具本体の本体側嵌合部を嵌合させて照明器具本体を取付アダプタに取付けたとき、ランプが点灯手段の周囲に位置することになるので、点灯手段がランプから放射された熱の影響を受けにくくなり、ランプから放射された熱の影響による点灯手段の劣化、故障を防止することができる。
【００６５】
請求項２記載の発明によれば、請求項１記載の照明器具において、前記取付アダプタに、リモコン信号受信部と常夜灯用ソケットとの少なくとも一方が設けられているので、これらのリモコン信号受信部や常夜灯用ソケット等を照明器具本体に設ける場合に比べて、配線が少なくなり、照明器具の構造の簡単化を図ることができる。
【図面の簡単な説明】
【図１】本発明の第１の実施の形態の照明器具を示す縦断正面図である。
【図２】本発明の第２の実施の形態の照明器具を示す縦断正面図である。
【図３】本発明の第１の参考形態の照明器具を示す縦断正面図である。
【図４】本発明の第２の参考形態の照明器具を示す縦断正面図である。
【符号の説明】
１：天井面、２：引掛シーリングボディ、３：取付アダプタ、４：照明器具本体、７：点灯手段、８：アダプタ側嵌合部、１０：ランプ、１３：本体側嵌合部、１６：リモコン信号受信部、１７：常夜灯用ソケット、１８：引掛シーリングボディ、１９：照明器具本体、２０：点灯手段ユニット、２１：ボディ側嵌合部、２２：本体側嵌合部、
【図１】
0004126586.tif 000002
【図２】
0004126586.tif 000003
【図３】
0004126586.tif 000004
【図４】
0004126586.tif 000005